(57)【要約】【課題】光の直進方向（長手方向）と垂直な方向（短手方向）への拡がりを抑えることを実現する。【解決手段】本発明の光源モジュールは、導光板２０と、導光板２０における長手方向の少なくとも一方の端面から光をそれぞれ入射させるＬＥＤ１２と、導光板２０における光の出射面２０ｄと反対の下面２０ｃに、導光板２０の内部にて導光される光を取り出すための光拡散構造群２０ｂとを備えている。そして、導光板２０における光の出射面２０ｄに長手方向に稜線を有する曲面で構成された曲面構造部２０ａを複数有している。【選択図】図１
2012209034.tif 000002
【特許請求の範囲】
【請求項１】
導光板と、
上記導光板における長手方向の少なくとも一方の端面から光をそれぞれ入射させる複数の光源と、
上記導光板における光の出射面と反対の面に、上記導光板の内部にて導光される光を取り出すための複数の光拡散構造を有する光路変換部とを備えた光源モジュールであって、
上記導光板における光の出射面に長手方向に稜線を有する曲面で構成された曲面構造部を複数有することを特徴とする光源モジュール。
【請求項２】
上記光路変換部の間隔は、上記稜線の間隔よりも大きくなっていることを特徴とする請求項１に記載の光源モジュール。
【請求項３】
上記曲面構造部は、高さＨ、曲面構造部同士の間隔がＰとすると、前記曲面構造は、０．２＜Ｈ／Ｐ＜０．５の関係を満たすように形成される請求項１または２に記載の光源モジュール。
【請求項４】
上記複数の光源を局所点灯する光源制御部を備えたことを特徴とする請求項１〜３の何れか１項に記載の光源モジュール。
【請求項５】
上記光路変換部は、スクリーン印刷による光拡散構造であることを特徴とする請求項１〜４の何れか１項に記載の光源モジュール。
【請求項６】
請求項１〜５の何れか１項に記載の光源モジュールを備えたことを特徴とする電子機器。
【発明の詳細な説明】
【技術分野】
【０００１】
本発明は、光源モジュール、およびそれを備えた電子機器に関し、より具体的には、例えば液晶表示装置において、薄型化を図るために、光源からの光を導光板によって面状に出射させるサイドエッジ（サイドライトともいう）型導光板を備えたバックライトに用いられる光源モジュール、およびそれを備えた電子機器に関する。
【背景技術】
【０００２】
近年、液晶表示装置においては、薄型化を図るために、光源からの光を導光板によって面状に出射させるサイドエッジ型導光板を備えたバックライトが多用されている。
【０００３】
このようなサイドエッジ型導光板として、例えば特許文献１に開示された面状照明装置がある。図７は、特許文献１の面状照明装置を示す図である。図７に示されるように、特許文献１の面状照明装置１００では、導光板１０１の主面にプリズム状の構造体が形成されている。そして、上記主面と直交する端面１１１近傍にＬＥＤ光源１０２が複数設けられている。ここで、複数のＬＥＤ光源１０２の１つの光源１０２ａのみを選択的点灯手段により点灯した場合、導光板１０１の端面１１１から入射した光は、導光板１０１の主面に設けられたプリズム状の構造体の作用により、図７の上下方向には殆ど広がることなく、図７の左方向に伝播し、帯状の照明領域１０３が形成される。
【０００４】
図８は、特許文献１の面状照明装置におけるプリズム状構造体１１０の構成を示す断面図である。図８に示されるように、導光板１０１の断面内において、プリズム面の一方の面に対して、平坦面との角度θで入射した光は、全反射されて対向するプリズム面に入射、全反射する。そして、断面角度φで平坦面に入射する。このとき、φ＝θである。特許文献１の面状照明装置では、面状照明を得るため、平坦面にドット状の白色反射面等を形成し均一に照明している。
【０００５】
また、例えば特許文献２には、導光板における出射面と反対の面にＶ溝が形成された構成が開示されている。
【先行技術文献】
【特許文献】
【０００６】
【特許文献１】特開２００９−２８３３８３号公報（２００９年１２月  ３日公開）
【特許文献２】特開２００９−３１４４５号公報  （２００９年  ２月１２日公開）
【発明の概要】
【発明が解決しようとする課題】
【０００７】
しかしながら、特許文献１の面状照明装置には、以下の問題がある。
【０００８】
すなわち、特許文献１の面状照明装置におけるプリズム状構造体１１０は、角度θが特定の角度である光に対しては、導光板内に光を閉じ込める閉じ込め効果が極めて高い。しかし、浅い角度（平坦面との角度θが小さい）で入射した光Ｃに対しては、閉じ込め効果を奏さない。浅い角度で入射した光Ｃは、直進方向（導光板の長手方向）および垂直方向（導光板の短手方向）への広がりが大きい。このため、図８に示されるように、光Ｃは、照明領域１０３から外れたプリズム面の真下方向に反射する成分が多くなる。そして、プリズム面の真下方向に反射する成分が平坦面で散乱しプリズム状構造体１１０から出射する。その結果、浅い角度（平坦面との角度θが小さい）で入射した光Ｃは、照明領域１０３からずれた位置から出射するおそれがある。
【０００９】
このように、従来の構成の導光板では、浅い角度で入射する光に対しては、本来光を出射すべき照射領域１０３から外れた領域から出射する。その結果、照明領域１０３は、光の直進方向（長手方向）と垂直な方向（短手方向）に拡がるという問題がある。
【００１０】
本発明は、上記従来の問題点に鑑みてなされたものであって、その目的は、光の直進方向（長手方向）と垂直な方向（短手方向）への拡がりを抑えることができる光源モジュール、およびそれを備えた電子機器を提供することにある。
【課題を解決するための手段】
【００１１】
本発明の光源モジュールは、上記の課題を解決するために、導光板と、上記導光板における長手方向の少なくとも一方の端面から光をそれぞれ入射させる複数の光源と、上記導光板における光の出射面と反対の面に、上記導光板の内部にて導光される光を取り出すための光拡散性を有する複数の光路変換部とを備えた光源モジュールであって、上記導光板における光の出射面に長手方向に稜線を有する曲面で構成された曲面構造部を複数有することを特徴としている。
【００１２】
上記の構成によれば、上記導光板における光の出射面に長手方向に稜線を有する曲面で構成された曲面構造部を複数有する。すなわち、複数の曲面構造部は、長手方向に沿って形成されている。一方、導光板の出射面と反対の面に、上記導光板の内部にて導光される光を取り出すための光拡散性を有する複数の光路変換部が形成されている。光路変換部においては導光体中を導光する光線の角度成分を変換し、長手方向と短手方向の全反射条件を崩す光線を導光体から出射することが可能になる。曲面構造部は、その面形状が（短手方向）に対し連続的に変化した曲面を有する。それゆえ、光路変換部にて光路が変換された光は、長手方向について全反射条件が崩れている光は短手方向の様々な角度成分の光線に対して効率的に光を取り出すことが可能である。また、長手方向で全反射条件が崩れていない場合は導光体からの出射はなく、短手方向については光線の拡がりを抑えることが可能である。
【００１３】
本発明の光源モジュールにおいて、上記光路変換部の間隔は、上記稜線の間隔よりも大きくなっていることが好ましい。
【００１４】
上記の構成によれば、上記光路変換部の間隔は、上記稜線の間隔よりも大きくなっているため、光路変換部の形成が容易になり、光路変換部の曲面構造体に対する位置精度の緩和の効果がある。
【００１５】
本発明の光源モジュールにおいて、上記光路変換部はスクリーン印刷により光拡散部材を含有するインクで形成されていることが好ましい。
【００１６】
上記の構成によれば、光線の長手方向成分の指向性を緩和でき、短手方向成分に対しては光の拡がりを抑える効果を向上させることができる。
【００１７】
本発明の電子機器は、上記の課題を解決するために、上述の光源モジュールを備えたことを特徴としている。
【００１８】
上記の構成によれば、光の直進方向（長手方向）と垂直な方向への拡がりを抑えることができる電子機器を実現することができる。
【００１９】
本発明において、上記曲面構造部は高さＨ、曲面構造同士の間隔がＰで構成されており、前記曲面構造は０．２＜Ｈ／Ｐ＜０．５の関係を満たすように形成されることが好ましい。
【００２０】
上記構成によれば、上記曲面構造部は、その接線の傾きが連続的に変化している。それゆえ、出射面に様々な角度で入射する光の取り出し効果と短手方向への光の拡がり抑制効果の点で有効に作用する。また、上記範囲でＨ／Ｐを設定することにより、曲面構造部の量産時の作製効率の向上と、形状のずれに対する特性の変動を抑えることが可能である効果を奏する。
【００２１】
本発明の光源モジュールにおいて、上記複数の光源を選択的に点灯する光源制御部を備えたことが好ましい。
【００２２】
上記の構成によれば、上記複数の光源を選択的に点灯する光源制御部を備えている。それゆえ、例えば電子機器として液晶表示装置に適用すると、光源制御部が映像信号における１フレーム内の垂直走査に同期して映像信号に応じた領域が照明されるように、選択的に光源を一定時間点灯するとき、導光板の特定の部分のみを適切に点滅照明して動画特性を向上させることができる。
【発明の効果】
【００２３】
本発明の光源モジュールは、以上のように、上記導光板における光の出射面に長手方向に稜線を有する曲面で構成された曲面構造部を複数有する特徴である。また、本発明の電子機器は、以上のように、上記記載の光源モジュールを備えた構成である。
【００２４】
それゆえ、光の直進方向（長手方向）と垂直な方向（短手方向）への拡がりを抑えることができ、かつ、取出効率を損なわないという効果を奏する。
【図面の簡単な説明】
【００２５】
【図１】本発明の光源モジュールの概略構成を示し、（ａ）は上面図であり、（ｂ）は側面図である。
【図２】上記光源モジュールを備えた液晶表示装置の構成を示す分解斜視図である。
【図３】上記光源モジュールを備えた液晶表示装置における一部の構成を示す断面図である。
【図４】光拡散材（散乱体）の拡散イメージを示し、左側はｘ−ｚ面での散乱特性を示す模式図であり、右側は、ｙ−ｚ面での散乱特性を示す模式図である。
【図５】導光板における半円筒形状の曲面構造体の有無と、出射面での照度分布との関係を示し、（ａ）は、導光板に曲面構造体がある場合における出射面上の二次元的な照度分布を示し、（ｂ）は、導光板に曲面構造体がない場合における出射面上の二次元的な照度分布を示し、（ｃ）は、（ａ）および（ｂ）の構成について、導光板の中央部におけるＹ方向の照度分布を示したグラフである。
【図６】導光板内部を導光する光の経路と、曲面構造体の有無との関係を示す断面図であり、（ａ）は、導光板の出射面に曲面構造体が形成された場合（実施例）を示し、（ｂ）は、導光板の出射面に頂角９０°のプリズムが形成された場合（従来例１）を示し、（ｃ）は、導光板の出射面に頂角５°のプリズムが形成された場合（従来例２）を示し、（ｄ）は（ａ）形状を凹シリンダ形状とした場合を示す。
【図７】導光板におけるＸ方向の側面形状を示す側面図であり、（ａ）は、曲面構造体の高さが小さい場合を示し、（ｂ）は、曲面構造体の高さが大きい場合を示す。
【図７（ｃ）】図７（ａ）のように構成Ａである曲面構造体２０ａの高さＨが小さい場合と、図７（ｂ）のように構成Ｂである曲面構造体２０ａの高さＨが小さい場合の、それぞれ導光板の中央部におけるＹ方向の照度分布を示す図である。
【図８】バックライトブリンキングを説明する図である。
【図９】本発明において、光の導光方向に対して全反射条件を崩していない場合の曲面構造体による光線の閉じ込め効果を示す図である。
【図１０】上記光源モジュールにおける導光板の他の変形例を示す平面図である。
【図１１】上記光源モジュールにおける導光板での局所点灯を示す平面図である。
【発明を実施するための形態】
【００２６】
本発明の一実施形態について図１〜図１１に基づいて説明すれば、以下のとおりである。図２は、本実施の形態の光源モジュールを備えた液晶表示装置（電子機器）の分解斜視図である。
【００２７】
本実施の形態の光源モジュール１０を備えた電子機器としての例えば液晶表示装置１は、図２に示すように、下から順に、シャーシ２、光源モジュール１０、液晶パネル３、ベゼル４にて構成されており、光源モジュール１０は、反射板としての反射シート１１、光源としてのＬＥＤ（Light Emitting Diode：発光ダイオード）１２及びＬＥＤ基板１３、リフレクタ１４、導光板２０、拡散板１５、並びに光学シート群１６から構成されている。尚、拡散板１５、光学シート群１６は、用途によっては省略することも可能である。
【００２８】
図３は、光源モジュール１０を備えた液晶表示装置１における一部の構成を示す断面図である。上記ＬＥＤ１２及びＬＥＤ基板１３、並びにリフレクタ１４は、図３に示すように、導光板２０の端部に設けられ、これによって、ＬＥＤ１２からの光を導光板２０における一方の端面２１ａに入射し、導光板２０の出射面２０ｄから拡散板１５及び光学シート群１６を通して、液晶パネル３に光を照射するようになっている。したがって、本実施の形態の光源モジュール１０は、サイドエッジ（サイドライトともいう）方式を採用している。なお、導光板２０からは出射面２０ｄ以外からの面からも光は一部出射するが、導光板２０の出射面２０ｄ、ＬＥＤ１２が配置される面以外の面には反射シート１１が配置され、再度導光板２０に入射するようになっているため、ほとんどの光は出射面２０ｄから出射される。
【００２９】
なお、ここでは、導光板２０の長手方向をＸ方向とし、導光板２０の法線方向をＺ方向とし、Ｘ方向およびＺ方向に対し垂直な方向をＹ方向とする。Ｙ方向は、導光板２０の長手方向（Ｘ方向）に対して、短手方向と記載する場合もある。
【００３０】
図１は、本実施の形態における光源モジュール１０の概略構成を示し、図１（ａ）は上面図であり、図１（ｂ）は側面図である。図１（ａ）および（ｂ）に示されるように、導光板２０の長手方向の両端からそれぞれ光を入射させるＬＥＤ１２として、ＬＥＤＬ１〜Ｌ５、ＬＥＤＲ１〜Ｒ５が配置されている。ＬＥＤＬ１〜Ｌ５はそれぞれ、ＬＥＤＲ１〜Ｒ５と長手方向において対向するように配置されている。
【００３１】
なお、図１（ａ）および（ｂ）に示されていないが、光源モジュール１０は、ＬＥＤＬ１〜Ｌ５およびＬＥＤＲ１〜Ｒ５を選択点灯する光源制御部を備えている。この光源制御部は、ＬＥＤＬ１〜Ｌ５およびＬＥＤＲ１〜Ｒ５の全光源を点灯するように制御することもできる。
【００３２】
また、導光板２０の出射面（上面）２０ｄには、曲面で構成された曲面構造体２０ａが形成されている。この曲面構造体２０ａは、導光板２０の長手方向（Ｘ方向）に沿って筋状のパターンとして形成されている。すなわち、導光板２０は、光の出射面２０ｄに、長手方向に稜線を有する曲面で構成された曲面構造部を複数有する。この曲面構造体２０ａは、導光板２０の出射面２０ｄ自体に形成された構造体（導光板２０自体に形成された構造体）であって、導光板２０に導光板２０とは別の部材として曲面構造部材が設けられたものではない。
【００３３】
なお、本実施形態では、導光板２０に形成された曲面構造体２０ａは、高さＨ、曲面構造部同士の間隔がＰで形成されており、前記曲面構造は０．２＜Ｈ／Ｐ＜０．５を満たす構造で形成されている。  
【００３４】
一方、図１（ｂ）に示されるように、導光板２０における曲面構造体２０ａと反対側の下面２０ｃには、光路変換部として、光拡散構造群２０ｂが形成されている。
【００３５】
光拡散構造群２０ｂは、導光板２０にて導光される光を取り出すレンズ群である。すなわち、光拡散構造群２０ｂは、導光板２０の内部にて導光される光の光路を変換させ、出射面２０ｄ側に取り出す。光拡散構造群２０ｂは、導光板２０の出射面２０ｄから出射される光が均一になるように形成されている。光拡散構造群２０ｂを構成する光拡散構造は、同一の間隔で配置されている。光拡散構造の間隔は、曲面構造体２０ａの間隔Ｐよりも大きくなっており、具体的には２．０ｍｍである。
【００３６】
本実施の形態においては、光路変換部は、光拡散構造群２０ｂであったが、この構成に限定されず、導光板２０の内部にて導光される光の光路を変換させるものであればよい。例えば、光路変換部は、導光板２０の内部にて導光される光を下面２０ｃにマイクロレンズを形成し、光線の反射角度を変えるものであっても良い。また、散乱体の形状は点状に限定されず、線状の白色パターン、または、プリズム等から形成することもできる。白色パターンの散乱体は、例えば、スクリーン印刷等によって形成することができ、プリズム等の形状は押し出し成形、射出成形、プレス加工等により形成することができる。
【００３７】
ここで、本実施例における光拡散構造体について言及する。ここでの光拡散構造体とは導光板に対して、光拡散性を有する散乱樹脂をインクに含有して印刷により形成されるものであり、本実施例に示す光拡散構造体においてはスクリーン印刷により導光板に形成する。スクリーン印刷により形成を行うことで、容易に導光板に均一なパターン印刷が可能ある。本実施例においては光拡散構造体の単体の径は約０．２〜１．５ｍｍの範囲で制御を行い、間隔は２ｍｍとしている。
【００３８】
図４は、拡散材（散乱体）の拡散イメージを示し、左側はｘ−ｚ面での散乱特性を示す模式図であり、右側は、ｙ−ｚ面での散乱特性を示す模式図である。
【００３９】
光路変換部としての光拡散構造体２０ｂ１は、散乱体を含有しているために、散乱反射および透過により光路変換がなされる。よって、図４に示されるように、光拡散構造体２０ｂ１により光路変換された光は、拡散材による光線の乱反射による光路変換のため、変換後の光線はマイクロレンズに比較すると広い範囲の角度に散乱される確率が高くなる。
【００４０】
図９に長手方向に対して全反射条件を崩していない、光拡散構造体で散乱された光の光路図を示す。光拡散構造群２０ｂで散乱された光は光拡散構造体に含有される散乱体により広い角度に散乱反射される。散乱反射された光線は曲面構造部２０ａに向かうが、曲面構造部２０ａにおいては浅い角度の光線は曲面構造体の接線に対して垂直に近い角度になるために曲面構造体により反射される光線は散乱された位置に戻る確率が高くなるため光閉じ込め効果が高い。
【００４１】
図５は、導光板２０における曲面構造体２０ａの有無と、出射面での照度分布との関係を示すグラフである。図５（ａ）は、導光板２０に曲面構造体２０ａがある場合における出射面２０ｄ（ＸＹ平面）上の二次元的な照度分布を示し、図５（ｂ）は、導光板２０に曲面構造体２０ａがない場合における出射面２０ｄ（ＸＹ平面）上の二次元的な照度分布を示し、図５（ｃ）は、図５（ａ）および図５（ｂ）の構成について、導光板の中央部におけるＹ方向の照度分布を示す。なお、図５（ａ）〜（ｃ）においては、図１（ａ）および（ｂ）におけるＬＥＤＬ３およびＬＥＤＲ３を選択的に点灯している。
【００４２】
図５（ａ）および（ｃ）に示されるように、導光板２０の出射面２０ｄに曲面構造体２０ａが形成されている場合、ＬＥＤＬ３およびＬＥＤＲ３からの出射光は、曲面構造体２０ａの効果により、短手方向（Ｙ方向）に拡がることなく、導光板２０内を導光していることが分かる。そして、導光板２０内部を導光している光は、光拡散構造群２０ｂにより出射面２０ｄ側に取り出されている。すなわち、ＬＥＤＬ３およびＬＥＤＲ３を選択的に点灯することで、導光板２０の出射面２０ｄにおける特定の照射領域（ＬＥＤＬ３およびＬＥＤＲ３に対応した領域）から光が出射している。
【００４３】
一方、図５（ｂ）および（ｃ）に示されるように、導光板２０の出射面２０ｄに曲面構造体２０ａが形成されていない場合、ＬＥＤＬ３およびＬＥＤＲ３からの出射光は、短手方向（Ｙ方向）に拡がってしまい、導光板２０の出射面２０ｄ全面から光が出射していることが分かる。すなわち、ＬＥＤＬ３およびＬＥＤＲ３を選択的に点灯しても、出射面２０ｄの特定の領域から光が出射しない。
【００４４】
このように本実施の形態の光源モジュールによれば、ＬＥＤＬ１〜Ｌ５およびＬＥＤＲ１〜Ｒ５のうち点灯するＬＥＤを選択することで、導光板２０の出射面２０ｄにおける、選択したＬＥＤに対応した領域から精度良く光を出射する（取り出す）ことが可能になる。すなわち、点灯するＬＥＤを選択することで、導光板２０の出射面２０ｄでの光の照射領域を制御することができる。
【００４５】
ところで、液晶表示装置１においては、ＣＲＴ（Cathode-Ray Tube：陰極線管）表示装置と比較して、動画のボヤケという問題点がある。すなわち、ＣＲＴ表示装置においては、あるフレームにおける画素の発光期間と、次のフレームにおけるこの画素の発光期間との間に、この画素が発光しない非発光期間があるため、残像感が少ない。これに対して、液晶表示装置１の表示方式はこのような非発光期間がない「ホールド型」であるため、残像感が生じ、この残像感が使用者に動画のボヤケとして認識される。
【００４６】
そこで、バックライト型の液晶表示装置１においては、バックライトである光源モジュール１０を分割し、液晶パネル３に映像信号を印加するタイミングに同期して順次消灯することにより、画像表示と画像表示との間に黒表示を挿入する技術であるバックライトブリンキングが提案されている。これにより、疑似インパルス型の表示を実現し、残像感を抑え、消費電力を低減することができる。
【００４７】
図８を用いてバックライトブリンキングについて説明する。光源モジュール１０を備えた液晶表示装置１は、映像信号における１フレーム内の垂直走査に同期して、映像信号に応じた領域が照明されるように、光源制御部によって選択的にＬＥＤを一定時間点灯することができる。それゆえ、導光板２０の特定の部分のみを適切に点滅照明して動画特性を向上させることができる。
【００４８】
具体的には図８に示すように画面を２２ａ、２２ｂ、２２ｃ、２２ｄ、２２ｅの５フレームに分割した場合において、各フレームに対応して長手両端に配置するＬＥＤ１２についてもＬ１〜Ｌ５、Ｒ１〜Ｒ５と５ブロックとし、例えば図８に示すようにフレーム２２ｃを選択的に点灯させる場合は光源制御部２３を通してＬＥＤＬ３とＬＥＤＲ３を点灯させる。これにより、液晶表示装置１において映像信号の１フレーム内の垂直走査に同期して、各フレームを選択点灯させることで動画特性を向上させることができる。
【００４９】
次に、曲面構造体２０ａにおける半円筒形状の効果について、図６（ａ）〜（ｄ）を参照して説明する。図６は、導光板内部を導光する光の短手方向の経路を示す断面図であり図６（ａ）は、導光板２０の出射面に高さＨと間隔Ｐの比率Ｈ／Ｐが０．４となる曲面構造体２０ａが形成された場合（実施例）を示し、図６（ｂ）は、導光板２０の出射面に頂角９０°のプリズムが形成された場合（従来例１）を示し、図６（ｃ）は、導光板２０の出射面に頂角５°のプリズムが形成された場合（従来例２）を示し、図６（ｄ）は図７（ａ）の凹形状となっている。
【００５０】
導光板内部を様々な角度で導光する光を、効率的に出射面で出射させるためには、光が出射面で全反射するか否かが重要である。導光板は、出射面に入射してくる光に対し全反射する光が多ければ多いほど、出射面からの光の出射効率が低下する。一方、出射面に入射してくる光に対し全反射する光が少なければ、出射面からの光の出射効率が増加する。すなわち、導光板内部の光を効率的に出射面で出射させるためには、出射面に様々な角度で入射する光に対し全反射する条件を崩すことが重要になる。本来は、導光板内の光について、Ｘ方向（長手方向）およびＹ方向（短手方向）の２成分の全反射条件を考慮する必要があるが、図６（ａ）〜（ｄ）においては、Ｙ方向成分だけを考慮し、Ｘ方向の成分については全反射条件が崩された角度であるとしている。
【００５１】
図６（ａ）の曲面構造体２０ａは、その面形状が（短手方向に対し）連続的に変化しているので、出射面に様々な角度で入射する光の取り出しに有効に作用している。それゆえ、図５（ａ）に示されるように、短手方向に対し垂直に立ち上がった垂直光Ａから浅い角度で導光する光Ｃまで、様々な入射角度に対して効率的に光を取り出し、出射面から光を出射させることができる。また、浅い角度で導光する光Ｃは、水平に近い面に入射すると全反射しやすい（全反射条件を崩しにくい）。しかし、図６（ａ）の曲面構造体２０ａの形状においては、水平に近い面は半円筒の上部に形成されており、光Ｃが照射されにくい部分に位置している。それゆえ、浅い角度で導光する光Ｃは、短手方向に対し傾斜した面に照射されるため、全反射条件が崩れやすい。
【００５２】
一方、導光板２０の出射面に頂角９０°のプリズムが形成された場合、図６（ｂ）に示されるように垂直光Ａは、全反射条件を崩さず戻り光となってしまう。また、浅い角度で導光する光Ｃについては、全反射条件が崩れ一旦出射面から出射する。しかし、再度隣のプリズムに入射してしまい導光板内に戻ってしまう。また、導光板２０の出射面に頂角５°のプリズムが形成された場合、図６（ｃ）に示されるように、垂直方向の光Ａおよび浅い角度で導光する光Ｃはともに、全反射条件が崩れ出射面から出射される。しかし、これらの光が隣のプリズムに再入射する確率が増加する。よって、図５（ｂ）および（ｃ）のように導光板２０の出射面にプリズムが形成された場合、導光板内に光を閉じ込めるため、導光板から光を出射させる効率が低下してしまう。
【００５３】
また、本実施の形態の光源モジュール１０においては、光路変換部としてのマイクロレンズ群２０ａが、導光板２０の内部にて導光される光の光路を変換させ、出射面２０ｄ側に取り出す。マイクロレンズ群２０ａは、図６（ａ）に示される垂直方向の光Ａを効率的に誘起するため、曲面構造体２０ａによる効果がさらに向上する。一方、図６（ｂ）および（ｃ）のように導光板２０の出射面にプリズムが形成された場合、逆効果になり、効率的に導光板から光を出射させることができない。図６（ｄ）においては垂直光が全て全反射により戻り光となることは無く図６（ｂ）、図６（ｃ）のプリズム構造と比較して効率的に出射させることが可能である。
【００５４】
また、導光板の厚さが同じである場合、図６（ａ）の曲面構造体の形状は、プリズム形状よりも断面積を確保しやすい。それゆえ、導光板２０の出射面に曲面構造体２０ａが形成された構成では、ＬＥＤからの光の入射面での光結合効率が高く、光漏れが起きにくい。
【００５５】
また、本実施の形態の光源モジュール１０をバックライト等の面状照明として用いた場合、導光板２０真上に各種光学シートが配置されることが一般的である。それゆえ、導光板２０の出射面がプリズムのような鋭利な形状であると、こすれ等により光学シートが傷つくおそれがある。これに対し、導光板２０の出射面に曲面構造体２０ａが形成されている場合、こすれ等により光学シートが傷つくおそれがない。
【００５６】
次に、曲面構造体２０ａの形状について、さらに詳細に説明する。これまで、曲面構造体２０ａの形状が凸シリンダ形状である場合について説明したが、曲面構造体２０ａの形状は、長手方向（Ｘ方向）に垂直な断面形状が円弧を含んでいればよく、断面形状の一部が直線であってもよい。このような形状は、導光板２０をプレス加工することにより形成することができる。
【００５７】
次に、曲面構造体２０ａの高さＨと、導光板２０の光入射面での光結合効率との関係について説明する。図７は、導光板２０におけるＸ方向の側面形状を示す側面図であり、図７（ａ）は、曲面構造体２０ａの高さＨが小さい場合を示し、図７（ｂ）は、曲面構造体２０ａの高さＨが大きい場合を示す。なお、図７（ａ）および図７（ｂ）においては、曲面構造体２０ａの間隔Ｐ、および導光板２０の厚さＴは同一としている。
【００５８】
本実施の形態においては、ＬＥＤからの光は、導光板２０の長手方向の側面に入射することになる。図７（ｂ）に示されるように、光の入射面形状（導光板２０におけるＸ方向の側面形状）において曲面構造体２０ａの高さＨが大きい場合、入射面積が小さくなるため、隙間（図７（ｂ）では斜線部）から光が漏れてしまい、光結合効率が低下する。一方、図７（ａ）に示されるように、光の入射面形状（導光板２０におけるＸ方向の側面形状）において曲面構造体２０ａの高さＨが小さい場合、入射面積が大きくなり、隙間からの光漏れを低減でき光結合効率を向上させることができる。
【００５９】
よって、光入射面における光結合効率および光漏れは、曲面構造体２０ａの高さＨが大きければ大きいほど低下する。近似的には、曲面構造体２０ａの高さＨが２倍になると、光漏れ量が２倍になり、光結合効率のロスも２倍になる。
【００６０】
光入射面における光結合効率および光漏れを考慮すると、曲面構造体２０ａの高さＨは、導光板２０の厚さＴの５％以下であることが好ましい。具体的な寸法としては、例えば、導光板２０の厚さＴが４．２ｍｍであり、面構造体２０ａの高さＨが０．１６ｍｍである。ただし、曲面構造体２０ａについて、間隔Ｐを一定とし、高さＨを小さくすると、導光板２０内に光を閉じ込める閉じ込め効果が低減する。
【００６１】
また、曲面構造体の形状は変えずに間隔Ｐを細かくしていくことで光直進性を維持したまま、導光板の断面積を確保することが可能である。例えば、構成Ａとして間隔Ｐ＝０．４ｍｍ高さＨ＝０．１６ｍｍ、厚みＴ＝４．２ｍｍの形状を有する断面に対して、構成Ｂとして間隔Ｐ＝０．２ｍｍ、高さＨ＝０．０８ｍｍ、厚みＴ＝４．２ｍｍと半円筒形状を相似的に１／２にすることで、光直進性に関してはなんら変化することなく、構成Ａに対して光漏れ量を半減し、光結合ロスも半減することが可能である。また、ピッチＰを細かくすることで、長手方向に伸びている曲面構造を視認しにくくする効果もある。
【００６２】
図７（ｃ）は、図７（ａ）のように構成Ａである曲面構造体２０ａの高さＨが小さい場合と、図７（ｂ）のように構成Ｂである曲面構造体２０ａの高さＨが小さい場合の、それぞれ導光板の中央部におけるＹ方向の照度分布を示す。図７（ｃ）に示されるように、構成Ａの形状と構成Ｂの形状との間で、光直進性に関してはなんら変化することがないことがわかる。それゆえ構成Ａに対して間隔Ｐを小さくし構成Ｂとすることで、光漏れ量を半減し、光結合ロスも半減することが可能である。また、間隔Ｐを細かくすることで長手方向に伸びている曲面構造を視認しにくくする効果もある。
【００６３】
また、上述の説明では、１枚の導光板２０を備えた構成について説明したが、本実施の形態の光源モジュール１０は、この構成に限定されない。
【００６４】
図１１に示されるバックライトブリンキングを行うために、図１０に示すように導光板２０を複数の導光体２１にて分割して構成し、これら複数の導光体２１を、長手方向に対して並列にそれぞれ隙間２２を有して配設した構成であってもよい。この場合、ＬＥＤ１２は、各導光体２１における長手方向の一方の端面２１ａから光をそれぞれ入射させるようになっている。尚、必ずしも一方の端面２１ａに限らず、長手方向の他方の端面から入射させてもよく、さらに、一方の端面２１ａ及び他方の端面の両方から光を入射させてもよい。すなわち、本発明では、少なくとも一方の端面２１ａから光を入射させれば足りる。
【００６５】
なお、図示はされないが、バックライトブリンキングを行うために複数の光源であるＬＥＤ１０２を選択的に点灯する光源制御部を備えている。それゆえ、所定のタイミングに応じて図１１に示すようにＬＥＤ１０２ａだけ等局所的に点灯することが可能となる。
【００６６】
本発明を例えば電子機器として液晶表示装置に適用すると、本発明が導光板の短手方向への広がりを抑える効果が高いことから、光源制御部が映像信号における１フレーム内の垂直走査に同期して映像信号に応じた領域が照明されるように、選択的に光源を一定時間点灯するとき、導光板の特定の部分のみを適切に点滅照明して動画特性を向上させることができる。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６８】
本発明は、光源からの光を導光板によって面状に出射させるサイドエッジ（サイドライトともいう）型導光板を備えた光源モジュール、およびそれを備えた電子機器に関するものであり、例えば、バックライト等の光源モジュール及び液晶表示装置等の電子機器に適用可能である。
【符号の説明】
【００６９】
１        液晶表示装置（電子機器）
１０      光源モジュール
１２      ＬＥＤ（光源）
２０      導光板
２０ａ    曲面構造部
２０ｂ    光拡散構造群
２０ｃ    下面
２０ｄ    出射面
２１ａ    端面
２２ａ〜２２ｅ    スキャンフレーム
２３      光源制御部
【図１】
2012209034.tif 000003
【図２】
2012209034.tif 000004
【図３】
2012209034.tif 000005
【図４】
2012209034.tif 000006
【図５】
2012209034.tif 000007
【図６】
2012209034.tif 000008
【図７】
2012209034.tif 000009
【図７（ｃ）】
2012209034.tif 000010
【図８】
2012209034.tif 000011
【図９】
2012209034.tif 000012
【図１０】
2012209034.tif 000013
【図１１】
2012209034.tif 000014
【手続補正書】
【提出日】平成24年6月11日(2012.6.11)
【手続補正１】
【補正対象書類名】明細書
【補正対象項目名】全文
【補正方法】変更
【補正の内容】
【発明の詳細な説明】
【技術分野】
【０００１】
本発明は、光源モジュール、およびそれを備えた電子機器に関し、より具体的には、例えば液晶表示装置において、薄型化を図るために、光源からの光を導光板によって面状に出射させるサイドエッジ（サイドライトともいう）型導光板を備えたバックライトに用いられる光源モジュール、およびそれを備えた電子機器に関する。
【背景技術】
【０００２】
近年、液晶表示装置においては、薄型化を図るために、光源からの光を導光板によって面状に出射させるサイドエッジ型導光板を備えたバックライトが多用されている。
【０００３】
このようなサイドエッジ型導光板として、例えば特許文献１に開示された面状照明装置がある。図１１は、特許文献１の面状照明装置を示す図である。図１１に示されるように、特許文献１の面状照明装置１００では、導光板１０１の主面にプリズム状の構造体が形成されている。そして、上記主面と直交する端面１１１近傍にＬＥＤ光源１０２が複数設けられている。ここで、複数のＬＥＤ光源１０２の１つの光源１０２ａのみを選択的点灯手段により点灯した場合、導光板１０１の端面１１１から入射した光は、導光板１０１の主面に設けられたプリズム状の構造体の作用により、図１１の上下方向には殆ど広がることなく、図１１の左方向に伝播し、帯状の照明領域１０３が形成される。
【０００４】
導光板１０１の断面内において、プリズム面の一方の面に対して、平坦面との角度θで入射した光は、全反射されて対向するプリズム面に入射、全反射する。そして、断面角度φで平坦面に入射する。このとき、φ＝θである。特許文献１の面状照明装置では、面状照明を得るため、平坦面にドット状の白色反射面等を形成し均一に照明している。
【０００５】
また、例えば特許文献２には、導光板における出射面と反対の面にＶ溝が形成された構成が開示されている。
【先行技術文献】
【特許文献】
【０００６】
【特許文献１】特開２００９−２８３３８３号公報（２００９年１２月  ３日公開）
【特許文献２】特開２００９−３１４４５号公報  （２００９年  ２月１２日公開）
【発明の概要】
【発明が解決しようとする課題】
【０００７】
しかしながら、特許文献１の面状照明装置には、以下の問題がある。
【０００８】
すなわち、特許文献１の面状照明装置におけるプリズム状構造体１１０は、角度θが特定の角度である光に対しては、導光板内に光を閉じ込める閉じ込め効果が極めて高い。しかし、浅い角度（平坦面との角度θが小さい）で入射した光Ｃに対しては、閉じ込め効果を奏さない。浅い角度で入射した光Ｃは、直進方向（導光板の長手方向）および垂直方向（導光板の短手方向）への広がりが大きい。このため、光Ｃは、照明領域１０３から外れたプリズム面の真下方向に反射する成分が多くなる。そして、プリズム面の真下方向に反射する成分が平坦面で散乱しプリズム状構造体１１０から出射する。その結果、浅い角度（平坦面との角度θが小さい）で入射した光Ｃは、照明領域１０３からずれた位置から出射するおそれがある。
【０００９】
このように、従来の構成の導光板では、浅い角度で入射する光に対しては、本来光を出射すべき照射領域１０３から外れた領域から出射する。その結果、照明領域１０３は、光の直進方向（長手方向）と垂直な方向（短手方向）に拡がるという問題がある。
【００１０】
本発明は、上記従来の問題点に鑑みてなされたものであって、その目的は、光の直進方向（長手方向）と垂直な方向（短手方向）への拡がりを抑えることができる光源モジュール、およびそれを備えた電子機器を提供することにある。
【課題を解決するための手段】
【００１１】
本発明の光源モジュールは、上記の課題を解決するために、導光板と、上記導光板における長手方向の少なくとも一方の端面から光をそれぞれ入射させる複数の光源と、上記導光板における光の出射面と反対の面に、上記導光板の内部にて導光される光を取り出すための光拡散性を有する複数の光路変換部とを備えた光源モジュールであって、上記導光板における光の出射面に長手方向に稜線を有する曲面で構成された曲面構造部を複数有することを特徴としている。
【００１２】
上記の構成によれば、上記導光板における光の出射面に長手方向に稜線を有する曲面で構成された曲面構造部を複数有する。すなわち、複数の曲面構造部は、長手方向に沿って形成されている。一方、導光板の出射面と反対の面に、上記導光板の内部にて導光される光を取り出すための光拡散性を有する複数の光路変換部が形成されている。光路変換部においては導光体中を導光する光線の角度成分を変換し、長手方向と短手方向の全反射条件を崩す光線を導光体から出射することが可能になる。曲面構造部は、その面形状が（短手方向）に対し連続的に変化した曲面を有する。それゆえ、光路変換部にて光路が変換された光は、長手方向について全反射条件が崩れている光は短手方向の様々な角度成分の光線に対して効率的に光を取り出すことが可能である。また、長手方向で全反射条件が崩れていない場合は導光体からの出射はなく、短手方向については光線の拡がりを抑えることが可能である。
【００１３】
本発明の光源モジュールにおいて、上記光路変換部の間隔は、上記稜線の間隔よりも大きくなっていることが好ましい。
【００１４】
上記の構成によれば、上記光路変換部の間隔は、上記稜線の間隔よりも大きくなっているため、光路変換部の形成が容易になり、光路変換部の曲面構造体に対する位置精度の緩和の効果がある。
【００１５】
本発明の光源モジュールにおいて、上記光路変換部はスクリーン印刷により光拡散部材を含有するインクで形成されていることが好ましい。
【００１６】
上記の構成によれば、光線の長手方向成分の指向性を緩和でき、短手方向成分に対しては光の拡がりを抑える効果を向上させることができる。
【００１７】
本発明の電子機器は、上記の課題を解決するために、上述の光源モジュールを備えたことを特徴としている。
【００１８】
上記の構成によれば、光の直進方向（長手方向）と垂直な方向への拡がりを抑えることができる電子機器を実現することができる。
【００１９】
本発明において、上記曲面構造部は高さＨ、曲面構造同士の間隔がＰで構成されており、前記曲面構造は０．２＜Ｈ／Ｐ＜０．５の関係を満たすように形成されることが好ましい。
【００２０】
上記構成によれば、上記曲面構造部は、その接線の傾きが連続的に変化している。それゆえ、出射面に様々な角度で入射する光の取り出し効果と短手方向への光の拡がり抑制効果の点で有効に作用する。また、上記範囲でＨ／Ｐを設定することにより、曲面構造部の量産時の作製効率の向上と、形状のずれに対する特性の変動を抑えることが可能である効果を奏する。
【００２１】
本発明の光源モジュールにおいて、上記複数の光源を選択的に点灯する光源制御部を備えたことが好ましい。
【００２２】
上記の構成によれば、上記複数の光源を選択的に点灯する光源制御部を備えている。それゆえ、例えば電子機器として液晶表示装置に適用すると、光源制御部が映像信号における１フレーム内の垂直走査に同期して映像信号に応じた領域が照明されるように、選択的に光源を一定時間点灯するとき、導光板の特定の部分のみを適切に点滅照明して動画特性を向上させることができる。
【発明の効果】
【００２３】
本発明の光源モジュールは、以上のように、上記導光板における光の出射面に長手方向に稜線を有する曲面で構成された曲面構造部を複数有する特徴である。また、本発明の電子機器は、以上のように、上記記載の光源モジュールを備えた構成である。
【００２４】
それゆえ、光の直進方向（長手方向）と垂直な方向（短手方向）への拡がりを抑えることができ、かつ、取出効率を損なわないという効果を奏する。
【図面の簡単な説明】
【００２５】
【図１】本発明の光源モジュールの概略構成を示し、（ａ）は上面図であり、（ｂ）は側面図である。
【図２】上記光源モジュールを備えた液晶表示装置の構成を示す分解斜視図である。
【図３】上記光源モジュールを備えた液晶表示装置における一部の構成を示す断面図である。
【図４】光拡散材（散乱体）の拡散イメージを示し、左側はｘ−ｚ面での散乱特性を示す模式図であり、右側は、ｙ−ｚ面での散乱特性を示す模式図である。
【図５】導光板における半円筒形状の曲面構造体の有無と、出射面での照度分布との関係を示し、（ａ）は、導光板に曲面構造体がある場合における出射面上の二次元的な照度分布を示し、（ｂ）は、導光板に曲面構造体がない場合における出射面上の二次元的な照度分布を示し、（ｃ）は、（ａ）および（ｂ）の構成について、導光板の中央部におけるＹ方向の照度分布を示したグラフである。
【図６】導光板内部を導光する光の経路と、曲面構造体の有無との関係を示す断面図であり、（ａ）は、導光板の出射面に曲面構造体が形成された場合（実施例）を示し、（ｂ）は、導光板の出射面に頂角９０°のプリズムが形成された場合（従来例１）を示し、（ｃ）は、導光板の出射面に頂角５°のプリズムが形成された場合（従来例２）を示し、（ｄ）は（ａ）形状を凹シリンダ形状とした場合を示す。
【図７】導光板におけるＸ方向の側面形状を示す側面図であり、（ａ）は、曲面構造体の高さが小さい場合を示し、（ｂ）は、曲面構造体の高さが大きい場合を示す。
【図７（ｃ）】図７（ａ）のように構成Ａである曲面構造体２０ａの高さＨが小さい場合と、図７（ｂ）のように構成Ｂである曲面構造体２０ａの高さＨが小さい場合の、それぞれ導光板の中央部におけるＹ方向の照度分布を示す図である。
【図８】バックライトブリンキングを説明する図である。
【図９】本発明において、光の導光方向に対して全反射条件を崩していない場合の曲面構造体による光線の閉じ込め効果を示す図である。
【図１０】上記光源モジュールにおける導光板の他の変形例を示す平面図である。
【図１１】特許文献１の面状照明装置を示す図である。
【発明を実施するための形態】
【００２６】
本発明の一実施形態について図１〜図１１に基づいて説明すれば、以下のとおりである。図２は、本実施の形態の光源モジュールを備えた液晶表示装置（電子機器）の分解斜視図である。
【００２７】
本実施の形態の光源モジュール１０を備えた電子機器としての例えば液晶表示装置１は、図２に示すように、下から順に、シャーシ２、光源モジュール１０、液晶パネル３、ベゼル４にて構成されており、光源モジュール１０は、反射板としての反射シート１１、光源としてのＬＥＤ（Light Emitting Diode：発光ダイオード）１２及びＬＥＤ基板１３、リフレクタ１４、導光板２０、拡散板１５、並びに光学シート群１６から構成されている。尚、拡散板１５、光学シート群１６は、用途によっては省略することも可能である。
【００２８】
図３は、光源モジュール１０を備えた液晶表示装置１における一部の構成を示す断面図である。上記ＬＥＤ１２及びＬＥＤ基板１３、並びにリフレクタ１４は、図３に示すように、導光板２０の端部に設けられ、これによって、ＬＥＤ１２からの光を導光板２０における一方の端面２１ａに入射し、導光板２０の出射面２０ｄから拡散板１５及び光学シート群１６を通して、液晶パネル３に光を照射するようになっている。したがって、本実施の形態の光源モジュール１０は、サイドエッジ（サイドライトともいう）方式を採用している。なお、導光板２０からは出射面２０ｄ以外からの面からも光は一部出射するが、導光板２０の出射面２０ｄ、ＬＥＤ１２が配置される面以外の面には反射シート１１が配置され、再度導光板２０に入射するようになっているため、ほとんどの光は出射面２０ｄから出射される。
【００２９】
なお、ここでは、導光板２０の長手方向をＸ方向とし、導光板２０の法線方向をＺ方向とし、Ｘ方向およびＺ方向に対し垂直な方向をＹ方向とする。Ｙ方向は、導光板２０の長手方向（Ｘ方向）に対して、短手方向と記載する場合もある。
【００３０】
図１は、本実施の形態における光源モジュール１０の概略構成を示し、図１（ａ）は上面図であり、図１（ｂ）は側面図である。図１（ａ）および（ｂ）に示されるように、導光板２０の長手方向の両端からそれぞれ光を入射させるＬＥＤ１２として、ＬＥＤＬ１〜Ｌ５、ＬＥＤＲ１〜Ｒ５が配置されている。ＬＥＤＬ１〜Ｌ５はそれぞれ、ＬＥＤＲ１〜Ｒ５と長手方向において対向するように配置されている。
【００３１】
なお、図１（ａ）および（ｂ）に示されていないが、光源モジュール１０は、ＬＥＤＬ１〜Ｌ５およびＬＥＤＲ１〜Ｒ５を選択点灯する光源制御部を備えている。この光源制御部は、ＬＥＤＬ１〜Ｌ５およびＬＥＤＲ１〜Ｒ５の全光源を点灯するように制御することもできる。
【００３２】
また、導光板２０の出射面（上面）２０ｄには、曲面で構成された曲面構造体２０ａが形成されている。この曲面構造体２０ａは、導光板２０の長手方向（Ｘ方向）に沿って筋状のパターンとして形成されている。すなわち、導光板２０は、光の出射面２０ｄに、長手方向に稜線２０ｅを有する曲面で構成された曲面構造部を複数有する。この曲面構造体２０ａは、導光板２０の出射面２０ｄ自体に形成された構造体（導光板２０自体に形成された構造体）であって、導光板２０に導光板２０とは別の部材として曲面構造部材が設けられたものではない。
【００３３】
なお、本実施形態では、導光板２０に形成された曲面構造体２０ａは、高さＨ、曲面構造部同士の間隔がＰで形成されており、前記曲面構造は０．２＜Ｈ／Ｐ＜０．５を満たす構造で形成されている。  
【００３４】
一方、図１（ｂ）に示されるように、導光板２０における曲面構造体２０ａと反対側の下面２０ｃには、光路変換部として、光拡散構造群２０ｂが形成されている。
【００３５】
光拡散構造群２０ｂは、導光板２０にて導光される光を取り出すレンズ群である。すなわち、光拡散構造群２０ｂは、導光板２０の内部にて導光される光の光路を変換させ、出射面２０ｄ側に取り出す。光拡散構造群２０ｂは、導光板２０の出射面２０ｄから出射される光が均一になるように形成されている。光拡散構造群２０ｂを構成する光拡散構造は、同一の間隔で配置されている。光拡散構造の間隔は、曲面構造体２０ａの間隔Ｐよりも大きくなっており、具体的には２．０ｍｍである。
【００３６】
本実施の形態においては、光路変換部は、光拡散構造群２０ｂであったが、この構成に限定されず、導光板２０の内部にて導光される光の光路を変換させるものであればよい。例えば、光路変換部は、導光板２０の内部にて導光される光を下面２０ｃにマイクロレンズを形成し、光線の反射角度を変えるものであっても良い。また、散乱体の形状は点状に限定されず、線状の白色パターン、または、プリズム等から形成することもできる。白色パターンの散乱体は、例えば、スクリーン印刷等によって形成することができ、プリズム等の形状は押し出し成形、射出成形、プレス加工等により形成することができる。
【００３７】
ここで、本実施例における光拡散構造体について言及する。ここでの光拡散構造体とは導光板に対して、光拡散性を有する散乱樹脂をインクに含有して印刷により形成されるものであり、本実施例に示す光拡散構造体においてはスクリーン印刷により導光板に形成する。スクリーン印刷により形成を行うことで、容易に導光板に均一なパターン印刷が可能ある。本実施例においては光拡散構造体の単体の径は約０．２〜１．５ｍｍの範囲で制御を行い、間隔は２ｍｍとしている。
【００３８】
図４は、拡散材（散乱体）の拡散イメージを示し、左側はｘ−ｚ面での散乱特性を示す模式図であり、右側は、ｙ−ｚ面での散乱特性を示す模式図である。
【００３９】
光路変換部としての光拡散構造体２０ｂ１は、散乱体を含有しているために、散乱反射および透過により光路変換がなされる。よって、図４に示されるように、光拡散構造体２０ｂ１により光路変換された光は、拡散材による光線の乱反射による光路変換のため、変換後の光線はマイクロレンズに比較すると広い範囲の角度に散乱される確率が高くなる。
【００４０】
図９に長手方向に対して全反射条件を崩していない、光拡散構造体で散乱された光の光路図を示す。光拡散構造群２０ｂで散乱された光は光拡散構造体に含有される散乱体により広い角度に散乱反射される。散乱反射された光線は曲面構造部２０ａに向かうが、曲面構造部２０ａにおいては浅い角度の光線は曲面構造体の接線に対して垂直に近い角度になるために曲面構造体により反射される光線は散乱された位置に戻る確率が高くなるため光閉じ込め効果が高い。
【００４１】
図５は、導光板２０における曲面構造体２０ａの有無と、出射面での照度分布との関係を示すグラフである。図５（ａ）は、導光板２０に曲面構造体２０ａがある場合における出射面２０ｄ（ＸＹ平面）上の二次元的な照度分布を示し、図５（ｂ）は、導光板２０に曲面構造体２０ａがない場合における出射面２０ｄ（ＸＹ平面）上の二次元的な照度分布を示し、図５（ｃ）は、図５（ａ）および図５（ｂ）の構成について、導光板の中央部におけるＹ方向の照度分布を示す。なお、図５（ａ）〜（ｃ）においては、図１（ａ）および（ｂ）におけるＬＥＤＬ３およびＬＥＤＲ３を選択的に点灯している。
【００４２】
図５（ａ）および（ｃ）に示されるように、導光板２０の出射面２０ｄに曲面構造体２０ａが形成されている場合、ＬＥＤＬ３およびＬＥＤＲ３からの出射光は、曲面構造体２０ａの効果により、短手方向（Ｙ方向）に拡がることなく、導光板２０内を導光していることが分かる。そして、導光板２０内部を導光している光は、光拡散構造群２０ｂにより出射面２０ｄ側に取り出されている。すなわち、ＬＥＤＬ３およびＬＥＤＲ３を選択的に点灯することで、導光板２０の出射面２０ｄにおける特定の照射領域（ＬＥＤＬ３およびＬＥＤＲ３に対応した領域）から光が出射している。
【００４３】
一方、図５（ｂ）および（ｃ）に示されるように、導光板２０の出射面２０ｄに曲面構造体２０ａが形成されていない場合、ＬＥＤＬ３およびＬＥＤＲ３からの出射光は、短手方向（Ｙ方向）に拡がってしまい、導光板２０の出射面２０ｄ全面から光が出射していることが分かる。すなわち、ＬＥＤＬ３およびＬＥＤＲ３を選択的に点灯しても、出射面２０ｄの特定の領域から光が出射しない。
【００４４】
このように本実施の形態の光源モジュールによれば、ＬＥＤＬ１〜Ｌ５およびＬＥＤＲ１〜Ｒ５のうち点灯するＬＥＤを選択することで、導光板２０の出射面２０ｄにおける、選択したＬＥＤに対応した領域から精度良く光を出射する（取り出す）ことが可能になる。すなわち、点灯するＬＥＤを選択することで、導光板２０の出射面２０ｄでの光の照射領域を制御することができる。
【００４５】
ところで、液晶表示装置１においては、ＣＲＴ（Cathode-Ray Tube：陰極線管）表示装置と比較して、動画のボヤケという問題点がある。すなわち、ＣＲＴ表示装置においては、あるフレームにおける画素の発光期間と、次のフレームにおけるこの画素の発光期間との間に、この画素が発光しない非発光期間があるため、残像感が少ない。これに対して、液晶表示装置１の表示方式はこのような非発光期間がない「ホールド型」であるため、残像感が生じ、この残像感が使用者に動画のボヤケとして認識される。
【００４６】
そこで、バックライト型の液晶表示装置１においては、バックライトである光源モジュール１０を分割し、液晶パネル３に映像信号を印加するタイミングに同期して順次消灯することにより、画像表示と画像表示との間に黒表示を挿入する技術であるバックライトブリンキングが提案されている。これにより、疑似インパルス型の表示を実現し、残像感を抑え、消費電力を低減することができる。
【００４７】
図８を用いてバックライトブリンキングについて説明する。光源モジュール１０を備えた液晶表示装置１は、映像信号における１フレーム内の垂直走査に同期して、映像信号に応じた領域が照明されるように、光源制御部によって選択的にＬＥＤを一定時間点灯することができる。それゆえ、導光板２０の特定の部分のみを適切に点滅照明して動画特性を向上させることができる。
【００４８】
具体的には図８に示すように画面を２２ａ、２２ｂ、２２ｃ、２２ｄ、２２ｅの５フレームに分割した場合において、各フレームに対応して長手両端に配置するＬＥＤ１２についてもＬ１〜Ｌ５、Ｒ１〜Ｒ５と５ブロックとし、例えば図８に示すようにフレーム２２ｃを選択的に点灯させる場合は光源制御部２３を通してＬＥＤＬ３とＬＥＤＲ３を点灯させる。これにより、液晶表示装置１において映像信号の１フレーム内の垂直走査に同期して、各フレームを選択点灯させることで動画特性を向上させることができる。
【００４９】
次に、曲面構造体２０ａにおける半円筒形状の効果について、図６（ａ）〜（ｄ）を参照して説明する。図６は、導光板内部を導光する光の短手方向の経路を示す断面図であり図６（ａ）は、導光板２０の出射面に高さＨと間隔Ｐの比率Ｈ／Ｐが０．４となる曲面構造体２０ａが形成された場合（実施例）を示し、図６（ｂ）は、導光板２０の出射面に頂角９０°のプリズムが形成された場合（従来例１）を示し、図６（ｃ）は、導光板２０の出射面に頂角５°のプリズムが形成された場合（従来例２）を示し、図６（ｄ）は図６（ａ）の凹形状となっている。
【００５０】
導光板内部を様々な角度で導光する光を、効率的に出射面で出射させるためには、光が出射面で全反射するか否かが重要である。導光板は、出射面に入射してくる光に対し全反射する光が多ければ多いほど、出射面からの光の出射効率が低下する。一方、出射面に入射してくる光に対し全反射する光が少なければ、出射面からの光の出射効率が増加する。すなわち、導光板内部の光を効率的に出射面で出射させるためには、出射面に様々な角度で入射する光に対し全反射する条件を崩すことが重要になる。本来は、導光板内の光について、Ｘ方向（長手方向）およびＹ方向（短手方向）の２成分の全反射条件を考慮する必要があるが、図６（ａ）〜（ｄ）においては、Ｙ方向成分だけを考慮し、Ｘ方向の成分については全反射条件が崩された角度であるとしている。
【００５１】
図６（ａ）の曲面構造体２０ａは、その面形状が（短手方向に対し）連続的に変化しているので、出射面に様々な角度で入射する光の取り出しに有効に作用している。それゆえ、図６（ａ）に示されるように、短手方向に対し垂直に立ち上がった垂直光Ａから浅い角度で導光する光Ｃまで、様々な入射角度に対して効率的に光を取り出し、出射面から光を出射させることができる。また、浅い角度で導光する光Ｃは、水平に近い面に入射すると全反射しやすい（全反射条件を崩しにくい）。しかし、図６（ａ）の曲面構造体２０ａの形状においては、水平に近い面は半円筒の上部に形成されており、光Ｃが照射されにくい部分に位置している。それゆえ、浅い角度で導光する光Ｃは、短手方向に対し傾斜した面に照射されるため、全反射条件が崩れやすい。
【００５２】
一方、導光板２０の出射面に頂角９０°のプリズムが形成された場合、図６（ｂ）に示されるように垂直光Ａは、全反射条件を崩さず戻り光となってしまう。また、浅い角度で導光する光Ｃについては、全反射条件が崩れ一旦出射面から出射する。しかし、再度隣のプリズムに入射してしまい導光板内に戻ってしまう。また、導光板２０の出射面に頂角５°のプリズムが形成された場合、図６（ｃ）に示されるように、垂直方向の光Ａおよび浅い角度で導光する光Ｃはともに、全反射条件が崩れ出射面から出射される。しかし、これらの光が隣のプリズムに再入射する確率が増加する。よって、図６（ｂ）および（ｃ）のように導光板２０の出射面にプリズムが形成された場合、導光板内に光を閉じ込めるため、導光板から光を出射させる効率が低下してしまう。
【００５３】
また、本実施の形態の光源モジュール１０においては、光路変換部としての曲面構造体（マイクロレンズ群）２０ａが、導光板２０の内部にて導光される光の光路を変換させ、出射面２０ｄ側に取り出す。曲面構造体群２０ａは、図６（ａ）に示される垂直方向の光Ａを効率的に誘起するため、曲面構造体２０ａによる効果がさらに向上する。一方、図６（ｂ）および（ｃ）のように導光板２０の出射面にプリズムが形成された場合、逆効果になり、効率的に導光板から光を出射させることができない。図６（ｄ）においては垂直光が全て全反射により戻り光となることは無く図６（ｂ）、図６（ｃ）のプリズム構造と比較して効率的に出射させることが可能である。
【００５４】
また、導光板の厚さが同じである場合、図６（ａ）の曲面構造体の形状は、プリズム形状よりも断面積を確保しやすい。それゆえ、導光板２０の出射面に曲面構造体２０ａが形成された構成では、ＬＥＤからの光の入射面での光結合効率が高く、光漏れが起きにくい。
【００５５】
また、本実施の形態の光源モジュール１０をバックライト等の面状照明として用いた場合、導光板２０真上に各種光学シートが配置されることが一般的である。それゆえ、導光板２０の出射面がプリズムのような鋭利な形状であると、こすれ等により光学シートが傷つくおそれがある。これに対し、導光板２０の出射面に曲面構造体２０ａが形成されている場合、こすれ等により光学シートが傷つくおそれがない。
【００５６】
次に、曲面構造体２０ａの形状について、さらに詳細に説明する。これまで、曲面構造体２０ａの形状が凸シリンダ形状である場合について説明したが、曲面構造体２０ａの形状は、長手方向（Ｘ方向）に垂直な断面形状が円弧を含んでいればよく、断面形状の一部が直線であってもよい。このような形状は、導光板２０をプレス加工することにより形成することができる。
【００５７】
次に、曲面構造体２０ａの高さＨと、導光板２０の光入射面での光結合効率との関係について説明する。図７は、導光板２０におけるＸ方向の側面形状を示す側面図であり、図７（ａ）は、曲面構造体２０ａの高さＨが小さい場合を示し、図７（ｂ）は、曲面構造体２０ａの高さＨが大きい場合を示す。なお、図７（ａ）および図７（ｂ）においては、曲面構造体２０ａの間隔Ｐ、および導光板２０の厚さＴは同一としている。
【００５８】
本実施の形態においては、ＬＥＤからの光は、導光板２０の長手方向の側面に入射することになる。図７（ｂ）に示されるように、光の入射面形状（導光板２０におけるＸ方向の側面形状）において曲面構造体２０ａの高さＨが大きい場合、入射面積が小さくなるため、隙間（図７（ｂ）では斜線部）から光が漏れてしまい、光結合効率が低下する。一方、図７（ａ）に示されるように、光の入射面形状（導光板２０におけるＸ方向の側面形状）において曲面構造体２０ａの高さＨが小さい場合、入射面積が大きくなり、隙間からの光漏れを低減でき光結合効率を向上させることができる。
【００５９】
よって、光入射面における光結合効率および光漏れは、曲面構造体２０ａの高さＨが大きければ大きいほど低下する。近似的には、曲面構造体２０ａの高さＨが２倍になると、光漏れ量が２倍になり、光結合効率のロスも２倍になる。
【００６０】
光入射面における光結合効率および光漏れを考慮すると、曲面構造体２０ａの高さＨは、導光板２０の厚さＴの５％以下であることが好ましい。具体的な寸法としては、例えば、導光板２０の厚さＴが４．２ｍｍであり、面構造体２０ａの高さＨが０．１６ｍｍである。ただし、曲面構造体２０ａについて、間隔Ｐを一定とし、高さＨを小さくすると、導光板２０内に光を閉じ込める閉じ込め効果が低減する。
【００６１】
また、曲面構造体の形状は変えずに間隔Ｐを細かくしていくことで光直進性を維持したまま、導光板の断面積を確保することが可能である。例えば、構成Ａとして間隔Ｐ＝０．４ｍｍ高さＨ＝０．１６ｍｍ、厚みＴ＝４．２ｍｍの形状を有する断面に対して、構成Ｂとして間隔Ｐ＝０．２ｍｍ、高さＨ＝０．０８ｍｍ、厚みＴ＝４．２ｍｍと半円筒形状を相似的に１／２にすることで、光直進性に関してはなんら変化することなく、構成Ａに対して光漏れ量を半減し、光結合ロスも半減することが可能である。また、ピッチＰを細かくすることで、長手方向に伸びている曲面構造を視認しにくくする効果もある。
【００６２】
図７（ｃ）は、図７（ａ）のように構成Ａである曲面構造体２０ａの高さＨが小さい場合と、図７（ｂ）のように構成Ｂである曲面構造体２０ａの高さＨが小さい場合の、それぞれ導光板の中央部におけるＹ方向の照度分布を示す。図７（ｃ）に示されるように、構成Ａの形状と構成Ｂの形状との間で、光直進性に関してはなんら変化することがないことがわかる。それゆえ構成Ａに対して間隔Ｐを小さくし構成Ｂとすることで、光漏れ量を半減し、光結合ロスも半減することが可能である。また、間隔Ｐを細かくすることで長手方向に伸びている曲面構造を視認しにくくする効果もある。
【００６３】
また、上述の説明では、１枚の導光板２０を備えた構成について説明したが、本実施の形態の光源モジュール１０は、この構成に限定されない。
【００６４】
図１１に示されるバックライトブリンキングを行うために、図１０に示すように導光板２０を複数の導光体２１にて分割して構成し、これら複数の導光体２１を、長手方向に対して並列にそれぞれ隙間２２を有して配設した構成であってもよい。この場合、ＬＥＤ１２は、各導光体２１における長手方向の一方の端面２１ａから光をそれぞれ入射させるようになっている。尚、必ずしも一方の端面２１ａに限らず、長手方向の他方の端面から入射させてもよく、さらに、一方の端面２１ａ及び他方の端面の両方から光を入射させてもよい。すなわち、本発明では、少なくとも一方の端面２１ａから光を入射させれば足りる。
【００６５】
なお、図８に示すように、本実施形態の液晶表示装置１は、バックライトブリンキングを行うために複数の光源であるＬＥＤＬＥＤＬ１〜Ｌ５およびＬＥＤＲ１〜Ｒ５を選択的に点灯する光源制御部を備えている。それゆえ、所定のタイミングに応じて図８に示すようにＬＥＤＬ３、ＬＥＤＲ３だけ等局所的に点灯することが可能となる。
【００６６】
本発明を例えば電子機器として液晶表示装置に適用すると、本発明が導光板の短手方向への広がりを抑える効果が高いことから、光源制御部が映像信号における１フレーム内の垂直走査に同期して映像信号に応じた領域が照明されるように、選択的に光源を一定時間点灯するとき、導光板の特定の部分のみを適切に点滅照明して動画特性を向上させることができる。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６８】
本発明は、光源からの光を導光板によって面状に出射させるサイドエッジ（サイドライトともいう）型導光板を備えた光源モジュール、およびそれを備えた電子機器に関するものであり、例えば、バックライト等の光源モジュール及び液晶表示装置等の電子機器に適用可能である。
【符号の説明】
【００６９】
１        液晶表示装置（電子機器）
１０      光源モジュール
１２      ＬＥＤ（光源）
２０      導光板
２０ａ    曲面構造部
２０ｂ    光拡散構造群
２０ｃ    下面
２０ｄ    出射面
２１ａ    端面
２２ａ〜２２ｅ    スキャンフレーム
２３      光源制御部
【手続補正２】
【補正対象書類名】特許請求の範囲
【補正対象項目名】全文
【補正方法】変更
【補正の内容】
【特許請求の範囲】
【請求項１】
導光板と、
上記導光板における長手方向の少なくとも一方の端面から光をそれぞれ入射させる複数の光源と、
上記導光板における光の反射面と反対の面に、上記導光板の内部にて導光される光を取り出すための複数の光拡散構造を有する光路変換部とを備え、液晶表示装置に搭載される光源モジュールであって、
上記導光板における光の出射面に長手方向に稜線を有する曲面で構成された曲面構造部を複数有し、
上記光路変換部の間隔は、上記稜線の間隔よりも大きくなっており、
上記液晶表示装置の映像信号における１フレーム内の垂直走査に同期して、映像信号に応じた領域が照明されるように、上記複数の光源を局所点灯する光源制御部を備えたことを特徴とする光源モジュール。
【請求項２】
上記光路変換部は、スクリーン印刷による光拡散構造であることを特徴とする請求項１に記載の光源モジュール。
【請求項３】
請求項１または２に記載の光源モジュールを備えたことを特徴とする液晶表示装置。